(57)【要約】【課題】ハードディスクからのディスク状記録媒体にダビングした後、上記ハードディスクに記録された元データをユーザが消去する必要があった。【解決手段】テレビジョン放送の映像データを入力して上記ハードディスクと上記ディスク状記録媒体の少なくとも一方に対して同入力した映像データの記録を行うとともに、同ハードディスクまたはディスク状記録媒体の少なくとも一方から記録された上記映像データを読み出して外部に出力する映像記録再生装置において、  上記ハードディスクに記録された映像データを上記ディスク記録再生手段を用いてディスク状記録媒体に記録した後、上記ハードディスクに記録された映像データを消去する手段を有する。【選択図】図７
2007115363.tif 000002
【特許請求の範囲】
【請求項１】
ハードディスクに対して映像データの記録および読み出しを行うハードディスク記録再生装置と、
ＤＶＤメディアに対して映像データの記録および読み出しを行うディスク記録再生装置と、
テレビジョン放送の映像データを入力して上記ハードディスクと上記ＤＶＤメディアの少なくとも一方に対して同入力した映像データの記録を行うとともに、同ハードディスクまたはＤＶＤメディアの少なくとも一方から記録された上記映像データを読み出して外部に出力するハードディスク内蔵型記録再生装置において、
上記ハードディスクに記録された映像データを上記ディスク記録再生手段を用いてＤＶＤメディアに記録した後、上記ハードディスクに記録された映像データを消去する手段を有し、
上記ハードディスクに記録された上記映像データが上記ＤＶＤメディアに記録されたことを示す情報に基づいて、
上記ハードディスクに記録された映像データを消去する手段と、
上記ハードディスクに記録された上記映像データを圧縮して記録する手段と、
上記ハードディスクに記録された上記映像データを再生すると、同映像データが上記ディスク状記録媒体に記録されていることを表示する手段と、
上記ＤＶＤメディアに記録された上記映像データを再生した後、上記ハードディスクに記録された映像情報を消去する手段と、
上記ハードディスクに記録された上記映像データの音声データのみを保存する手段とを有することを特徴とするハードディスク内蔵型記録再生装置。
【請求項２】
ハードディスクに対して映像データの記録および読み出しを行うハードディスク記録再生手段と、
ディスク状記録媒体に対して映像データの記録および読み出しを行うディスク記録再生手段と、
テレビジョン放送の映像データを入力して上記ハードディスクと上記ディスク状記録媒体の少なくとも一方に対して同入力した映像データの記録を行うとともに、同ハードディスクまたはディスク状記録媒体の少なくとも一方から記録された上記映像データを読み出して外部に出力する映像記録再生装置において、
上記ハードディスクに記録された映像データを上記ディスク記録再生手段を用いてディスク状記録媒体に記録した後、上記ハードディスクに記録された映像データを消去する手段を有することを特徴とする映像記録再生装置。
【請求項３】
上記ハードディスクに記録された上記映像データが上記ディスク状記録媒体に記録されたことを示す情報に基づいて、上記ハードディスクに記録された映像データを消去する手段を有することを特徴とする請求項２に記載の映像記録再生装置。
【請求項４】
上記ハードディスクに記録された上記映像データが上記ディスク状記録媒体に記録された後、上記ハードディスクに記録された上記映像データを再生すると、上記ディスク状記録媒体に記録されていることを表示する手段を有することを特徴とする請求項２または請求項３のいずれかに記載の映像記録再生装置。
【請求項５】
上記ハードディスクに記録された上記映像データが上記ディスク状記録媒体に記録された後、上記ハードディスクに記録された上記映像データを圧縮して記録する手段を有することを特徴とする請求項２〜請求項４のいずれかに記載の映像記録再生装置。
【請求項６】
上記ハードディスクに記録された上記映像データを上記ディスク状記録媒体に記録し、上記ディスク状記録媒体に記録された上記映像データを再生した後、上記ハードディスクに記録された映像情報を消去する手段を有することを特徴とする請求項２〜請求項５のいずれかに記載の映像記録再生装置。
【請求項７】
上記ハードディスクに記録された上記映像データを上記ディスク状記録媒体に記録した後、上記ハードディスクに記録された上記映像データの音声データのみを保存する手段を有することを特徴とする請求項２〜請求項６のいずれかに記載の映像記録再生装置。
【発明の詳細な説明】
【技術分野】
【０００１】
本発明は、映像記録再生装置または、ハードディスク内蔵型記録再生装置に関し、特に、映像データを記録再生する記録再生装置または、ハードディスク内蔵型記録再生装置に関する。
【背景技術】
【０００２】
記録媒体の容量増大と映像データなどの圧縮技術の進歩により、テレビ番組を多数記録しておくことが可能な記録媒体が多数登場している。現在ビデオデッキ等の記録再生装置の分野において、本体に大容量のメモリー持つハードディスクを内蔵するものが普及している。ハードディスクはその構造上ランダムアクセスが可能であるため、これらの記録媒体を用いた記録再生装置では、このランダムアクセス性能を利用して、従来のビデオカセットテープでは実現が困難な機能を実現することが可能である。
【０００３】
例えば、ハードディスクに記録された映像データを整理・分類して記憶媒体である光ディスクに記録する機能を使用すれば、一週間に放送されたテレビ放送の番組をすべてハードディスクに記録しておき、ハードディスクに記録された番組のタイトルやジャンルに応じて整理・分類を行った後、必要な番組だけを選択し記録媒体に記録させることができる。
【０００４】
しかし、大量の映像データをハードディスクに記録させることが可能になった一方で、他方では、ハードディスクに記録した映像データを消去するのに、ユーザがハードディスクに記録されている映像データのタイトルの一覧をテレビジョンモニター等に表示させ、その中から不要な物を選択して消去する操作が一般に行われていた。
【０００５】
このように、ハードディスクから記録媒体に映像データをダビングした後、ユーザにテレビジョンモニター等に映像データのタイトルを表示させ、上記タイトルを選択消去するという面倒な操作を行わせる必要があった。ハードディスクから記録媒体に映像データを移す方法を改善するために、ハードディスクに番組タイトルやジャンル等の番組情報を書き込むライブラリ作成機能を備え、上記ライブラリに基づいてハードディスクに映像データの記録を行うことで、ユーザが番組タイトル等を指示すると、自動で上記ライブラリに記録された番組情報に基づいてハードディスクから記録媒体に映像データを移す方法が知られている（例えば特許１を参照。）。
【０００６】
【特許文献１】特開２００２−２９０８９２号
【発明の開示】
【発明が解決しようとする課題】
【０００７】
上述した特許文献１における記録再生装置においては、次のような課題があった。すなわち、ハードディスク内で情報を整理・分類して、分類ごとに異なる記録媒体に記録させることは可能だが、ハードディスクからのディスク状記録媒体にダビングした後、上記ハードディスクに記録された元データをユーザが消去する必要があった。
【０００８】
本発明は、上記課題にかんがみてなされたもので、ハードディスク等の記録媒体で整理・分類した映像データをダビングした後、ハードディスクに残る元データを自動で選択消去をおこなう記録再生装置または、ハードディスク内蔵型記録再生装置の提供を目的とする
【課題を解決するための手段】
【０００９】
上記課題を解決するため、請求項１にかかる発明は、ハードディスクに対して映像データの記録および読み出しを行うハードディスク記録再生装置と、ＤＶＤメディアに対して映像データの記録および読み出しを行うディスク記録再生装置と、テレビジョン放送の映像データを入力して上記ハードディスクと上記ＤＶＤメディアの少なくとも一方に対して同入力した映像データの記録を行うとともに、同ハードディスクまたはＤＶＤメディアの少なくとも一方から記録された上記映像データを読み出して外部に出力するハードディスク内蔵型記録再生装置において、 
上記ハードディスクに記録された映像データを上記ディスク記録再生手段を用いてＤＶＤメディアに記録した後、上記ハードディスクに記録された映像データを消去する手段を有し、上記ハードディスクに記録された上記映像データが上記ＤＶＤメディアに記録されたことを示す情報に基づいて、上記ハードディスクに記録された映像データを消去する手段と、上記ハードディスクに記録された上記映像データを圧縮して記録する手段と、上記ハードディスクに記録された上記映像データを再生すると、同映像データが上記ディスク状記録媒体に記録されていることを表示する手段と、上記ＤＶＤメディアに記録された上記映像データを再生した後、上記ハードディスクに記録された映像情報を消去する手段と、上記ハードディスクに記録された上記映像データの音声データのみを保存する手段とを有する構成である。
【００１０】
つまり、テレビジョン放送の映像データを入力して上記ハードディスクと上記ＤＶＤメディアの少なくとも一方に対して同入力した映像データの記録を行うとともに、同ハードディスクまたはＤＶＤメディアの少なくとも一方から記録された上記映像データを読み出して外部に出力するハードディスク内蔵型記録再生装置において、
上記ハードディスクに記録された映像データを上記ディスク記録再生手段を用いてＤＶＤメディアに記録した後、上記ハードディスクに記録された映像データを消去する手段を有し、上記ハードディスクに記録された上記映像データが上記ＤＶＤメディアに記録されたことを示す情報に基づいて、上記ハードディスクに記録された映像データを消去する手段と、上記ハードディスクに記録された上記映像データを圧縮して記録する手段と、上記ハードディスクに記録された上記映像データを再生すると、同映像データが上記ディスク状記録媒体に記録されていることを表示する手段と、上記ＤＶＤメディアに記録された上記映像データを再生した後、上記ハードディスクに記録された映像情報を消去する手段と、上記ハードディスクに記録された上記映像データの音声データのみを保存する手段とを有する。
【００１１】
また、請求項２にかかる発明は、ハードディスクに対して映像データの記録および読み出しを行うハードディスク記録再生手段と、ディスク状記録媒体に対して映像データの記録および読み出しを行うディスク記録再生手段と、テレビジョン放送の映像データを入力して上記ハードディスクと上記ディスク状記録媒体の少なくとも一方に対して同入力した映像データの記録を行うとともに、同ハードディスクまたはディスク状記録媒体の少なくとも一方から記録された上記映像データを読み出して外部に出力する映像記録再生装置において、
上記ハードディスクに記録された映像データを上記ディスク記録再生手段を用いてディスク状記録媒体に記録した後、上記ハードディスクに記録された映像データを消去する手段を有する構成である。
【００１２】
つまり、テレビジョン放送の映像データを入力して上記ハードディスクと上記ディスク状記録媒体の少なくとも一方に対して同入力した映像データの記録を行うとともに、同ハードディスクまたはディスク状記録媒体の少なくとも一方から記録された上記映像データを読み出して外部に出力する映像記録再生装置において、
上記ハードディスクに記録された映像データを上記ディスク記録再生手段を用いてディスク状記録媒体に記録した後、上記ハードディスクに記録された映像データを消去する手段を有する。
【発明の効果】
【００１３】
以上説明したように本発明は、映像データをハードディスクからディスク状記録媒体にダビングした後、ハードディスクに記録された元データを自動で消去することが可能なハードディスク内蔵型記録再生装置または、映像記録再生装置を提供することができる。
また、請求項４と請求項６に記載の発明においては、ハードディスクからディスク状記録媒体にダビングが実行されたか確認することができる。
また、請求項５に記載の発明においては、ハードディスクの容量を有効に使用することができる。
また、請求項７に記載の発明においては、ハードディスクに音声データのみを保存することができる。
【発明を実施するための最良の形態】
【００１４】
以下の項目に従い本発明の一実施形態を説明する。
（１）ハードディスク内蔵型記録再生装置の構造
（２）通常の映像データ録画再生方法
（３）ハードディスク記録再生装置
（４）変形例１
（５）変形例２
（６）変形例３
（７）まとめ
【００１５】
（１）ハードディスク内蔵型記録装置の構造
図１は本発明の一実施の形態であるハードディスク内蔵型記録再生装置１のブロック構造図である。本発明におけるハードディスク内蔵型記録再生装置１は、チューナー２と、アナログ／ディジタル変換回路３と、エンコーダ４と、ハードディスク記録再生装置５と、ディスク記録再生装置６と、コントローラーモジュール７と、デコーダ９と、ディジタル／アナログ変換回路１０と、グラフィックコントローラー１１と、制御装置１２とから構成されている。
【００１６】
ハードディスク内蔵型記録再生装置１はテレビジョン装置１８と接続され、チューナー２が受信したテレビジョン放送をハードディスクやＤＶＤメディアに記録しまた、上記ハードディスクやＤＶＤメディアに記録された映像データをテレビジョン装置１８にて表示する。また、ハードディスクに記録した映像データをＤＶＤメディアメディアに記録させることも可能である。
【００１７】
ハードディスク記録再生装置５は、内部に磁性体を塗布または蒸着した金属のディスク(「プラッタ」という)を一定の間隔で何枚も重ね合わせた構造になっており、これをモーターで高速に回転させて磁気ヘッドを近づけて映像データを読み書きする。ハードディスク記録再生装置５に記録される映像データは後述するエンコーダ４によってＭＰＥＧ２方式のディジタルデータに変換されて記録されている。
【００１８】
ディスク録再生装置６は、内部にＤＶＤメディア等のディスク状記録媒体を配置し、ＤＶＤメディアに映像データの読取りを行う。ＤＶＤメディア等のディスク状記録媒体は、後述するエンコーダ４によってＭＰＥＧ２方式のディジタルデータに変換された映像データが均等に配置されて記録されている。
【００１９】
ディスク状録媒体に映像データを記録するには、ディスク記録再生装置６の内部に備えられたレーザー照射装置からディスクの表面にレーザー光を照射し記録してく。反対に、ディスク状記録媒体から映像データを再生する場合は、レーザー照射装置からディスク状記録媒体にレーザーを照射し、ディスク状記録媒体からの反射光を検出して映像データを記録再生する。
【００２０】
（２）通常の映像データ録画再生方法
ハードディスク内蔵型記録再生装置１にてテレビジョン放送を録画する方法を説明する。このとき、ユーザは事前に録画したい番組を電子番組表や刊行物を参考にリモコンＩ／Ｆ１６を介してリモコン１９から入力しまた、操作パネル１７から入力することでテレビジョン放送の録画を行う。また、リモコン１９または操作パネル１７によって入力された予約情報は、ＲＡＭ１５で一端記録されその情報を基にマイコン１３がハードディスク内蔵型記録再生装置１を制御する。
【００２１】
図示されないアンテナが受信したテレビジョン信号がチューナー２に入力されると、チューナー２はテレビジョン信号を復調しアナログ／ディジタル変換回路３に出力する。アナログ／ディジタル変換回路３は、入力されたアナログ信号をディジタル信号に変換してエンコーダ４に出力する。エンコーダ４は入力されたディジタル信号をＭＰＥＧ２方式のディジタル信号に変換圧縮を行い、ハードディスク記録再生装置５に出力する。ハードディスク記録再生装置５はＭＰＥＧ２方式で変換圧縮された映像データを受け取り、内部のディスクに記録する。
【００２２】
ハードディスク内蔵型記録再生装置１を用いて予約録画を行う方法として、ＯＳＤを用いてテレビジョン装置１８の表示画面に予約画面を表示させ、ユーザが上記予約画面を見ながらリモコン１９や操作パネルを操作する方法が知られている。
【００２３】
ハードディスク内蔵型記録再生装置１にて記録された映像データを再生する方法を説明する。ハードディスク記録再生装置５やディスク記録再生装置６を介してＤＶＤメディアに記録された映像データは、コントローラーモジュール７出力され、コントローラーモジュール７内のバッファ８に一端記録される。その後コントローラーモジュール７は、マイコン１３からの指示をうけた後、バッファ８に記録した映像データをデコーダ９に出力する。デコーダ９はＭＰＥＧ２方式で変換圧縮された映像データを再生可能な映像データに伸張し、ディジタル／アナログ変換回路１０に出力する。ディジタル／アナログ変換回路１０は入力された映像データをアナログデータに変換し、グラフィックコントローラー１１に出力する。グラフィックコントローラー１１は、ハードディスク内蔵型記録再生装置１の外部に接続されたテレビジョン装置１８に上記伸張された映像データを出力する。
【００２４】
また、ハードディスク内蔵型記録再生装置１は、ハードディスク記録再生装置５で一端記録した映像データをディスク記録再生装置６を介してＤＶＤメディアに記録させることが可能である。ハードディスク記録再生装置５は内蔵するディスクに記録された映像データを読み出し、コントローラーモジュール７に出力する。コントローラーモジュール７は一端入力された映像データを内部にあるバッファ８に記録した後、マイコン１３からの指示を受けてディスク記録再生装置６に出力する。ディスク記録再生装置６は上記入力された映像データをＤＶＤメディア等のディスク状記録媒体に記録させる。
【００２５】
上記構成により、ハードディスク内蔵型記録再生装置１は、ハードディスクに記録された映像データをＤＶＤメディアに記録することが可能であるが、一度ハードディスクに記録された映像データは、ユーザが選択画面等から消去したい映像データを検索して消す必要があった。そこで、本発明のハードディスク内蔵型記録再生装置１は、ハードディスク記録再生装置５にハードディスクからＤＶＤメディアに記録された映像データを消去する機能を備える構造とした。
【００２６】
（３）ハードディスク記録再生装置
図２は本発明の一実施形態におけるハードディスク記録再生装置のブロック構成図である。ハードディスク記録再生装置５は、映像データの記録再生を行う記録再生部２０と、上記記録された映像データの番組情報を保持する記録情報取得部２１とから構成される。
【００２７】
テレビ放送をハードディスクにて記録する場合、ハードディスク記録再生装置５にエンコーダ４にて変換された映像データが入力されると、記録再生部２０は上記に有力された映像データをハードディスクの所定のアドレスに記録する。記録情報取得部２１は上記映像データが記録されたハードディスクのアドレスを番組情報Ｍ１とし、さらに、上記映像データがハードディスクからＤＶＤメディア等のディスク状記媒体に記録された場合は、番組情報Ｍ２として記録する。記録情報取得部２１は上記番組情報Ｍ１と番組情報Ｍ２に対応する記録情報テーブルを作成しこれを保持する。 
【００２８】
図３は本発明の一実施形態である記録情報取得部２１が作成する記録情報テーブルの図である。図より記録情報テーブルには、ハードディスクの記録先のアドレスを示す番組情報Ｍ１と、ハードディスクからディスク状記録媒体にダビングされたことを示す番組情報Ｍ２とが表示されている。番組情報Ｍ２は、映像データがハードディスクからＤＶＤメディアにダビングされた場合は１を、そうでなければ０を表示するものとする。
【００２９】
また、上記記録情報テーブルには、ハードディスクに記録された番組のタイトルや内容等を記録することも可能である。この場合、タイトルや内容等の番組情報は、電子番組表や、映像データから直接取得することも可能である。
【００３０】
図４はハードディスクからディスク状記録媒体にダビングされた映像データのハードディスクに記録された元データを消去するときにマイコンが実行するフローチャートである。ユーザがリモコン１９を用いてダビング選択画面を表示するよう指示を出すと、マイコン１３はＲＯＭ１４に記録されたダビング選択画面の映像データをＲＡＭ１５に出力し、ＯＳＤを用いてテレビジョン装置１８にダビング選択画面を表示する（ステップＳ１００〜Ｓ１０１）。
【００３１】
次にユーザがリモコン１９よりハードディスクに記録された番組データをＤＶＤメディアに記録するよう指示を出すと、マイコン１３は、その指示を受け取りハードディスク記録再生装置５の所定のアドレスにアクセスし、上記アドレスに記録された映像データをディスク記録再生装置６を介してＤＶＤメディアに記録させる（ステップＳ１０２）。
【００３２】
次に、ユーザがリモコンを用いてダビング選択画面において、ダビング後ハードディスクに記録された元データの消去を実行するよう指示を出すと、マイコン１３は、記録情報取得部２１に記録情報テーブルの上記ダビングされた映像データの欄の番組情報Ｍ２に１を書き込むよう指示を出す（ステップＳ１０４）。逆に、ユーザが元データの消去を実行しないよう指示を出すと、マイコン１３は、記録情報取得部２１に何も指示を出さない。
【００３３】
ハードディスクからＤＶＤメディアに映像データのダビングが完了すると、マイコン１３は、記録情報取得部２１が作成した記録情報テーブルより番組情報Ｍ２を読取り、番組情報Ｍ２が１であればハードディスク記録再生装置５に上記映像データを消去するよう指示を出す。（ステップＳ１０６）。
【００３４】
上記指示を受けてハードディスク記録再生装置５は記録情報テーブルに記録された番組情報Ｍ１のアドレスを読取り、上記アドレスに記録された映像データを消去する。ハードディスクに記録された上記映像データが消去されると、マイコン１３は記録情報テーブルの番組情報Ｍ２に０を上書きする。（ステップＳ１０７）。
【００３５】
（４）変形例１
上記構成により本発明の一実施形態であるハードディスク内蔵型記録再生装置はハードディスクからディスク状記録媒体にダビングした後、ハードディスクに記録された元データを消去するが、ハードディスクに記録された元データを圧縮し保存してもよい。このことは、元データを圧縮し保存することで、元データを保持したまま、ハードディスクの記録容量を有効に活用することができる。そこで、上記目的を達成するために、本発明の一実施形態であるハードディスク内蔵型記録再生装置１は、コントローラーモジュール７に圧縮変換部を備える構造とした。 
【００３６】
図５は本発明の一実施形態におけるコントローラーモジュール７とハードディスク記録再生装置５とのブロック構成図である。コントローラーモジュール７は、入力された映像データを圧縮する圧縮変換部２２と、入力された映像データを保持するバッファ８とから構成されている。
【００３７】
上記構成において、コントローラーモジュール７は、ハードディスク記録再生装置５から入力された映像データを圧縮変換部２２で映像の圧縮を行う。圧縮変換部２２で行われる圧縮の一実施形態として、映像データの色の階調表現を少なくしまた、映像データを消去し音声データのみに変換し映像データのデータ容量を圧縮する方法が上げられる。
【００３８】
図６はハードディスクからディスク状記録媒体にダビングされた映像データのハードディスクに記録された元データを圧縮するときにマイコンが実行するフローチャートである。ユーザがリモコン１９を用いてダビング選択画面を表示するよう指示を出すと、マイコン１３はＲＯＭ１４に記録されたダビング選択画面の映像データをＲＡＭ１５に出力し、ＯＳＤを用いてテレビジョン装置１８にダビング選択画面を表示する（ステップＳ２００〜Ｓ２０１）。
【００３９】
次にユーザがリモコン１９よりハードディスクに記録された番組データをＤＶＤメディアに記録するよう指示を出すと、マイコン１３は、その指示を受け取りハードディスクの所定のアドレスにアクセスし、上記アドレスに記録された映像データをディスク記録再生装置６を介してＤＶＤメディアに記録させる（ステップＳ２０２）。
【００４０】
次に、ユーザがリモコン１９を用いてダビング選択画面において、ダビング後ハードディスクに記録された元データの圧縮を実行するよう指示を出すと、マイコン１３は、記録情報取得部２１に記録情報テーブルの上記ダビングされた映像データの欄の番組情報Ｍ２に２を書き込むよう指示を出す（ステップＳ２０４）。逆に、ユーザが元データの圧縮を実行しないよう指示を出すと、マイコン１３は、記録情報取得部２１に何も指示を出さない。
【００４１】
ハードディスクからＤＶＤメディアに映像データのダビングが完了すると、マイコン１３は、記録情報取得部２１が作成した記録情報テーブルより番組情報Ｍ２を読取り、番組情報Ｍ２が２であればハードディスク記録再生装置５に上記映像データを圧縮するよう指示を出す。（ステップＳ２０６）。
【００４２】
上記指示を受けてハードディスク記録再生装置５は記録情報テーブルに記録された番組情報Ｍ１のアドレスを読取り、上記アドレスに記録された映像データをコントローラーモジュール７に出力する。コントローラーモジュール７に出力された映像データは一端バッファ８に記録される。
【００４３】
バッファ８に記録された映像データは圧縮変換部２２に出力されここで、映像データの圧縮が行われる。例えば、バッファにＲＧＢの１８ビット（６ビット×３）計１８ビットの階調表現で表された映像データが記録されているとすると、圧縮変換部２２はＲＧＢの各６ビットで表現される階調表現の黒レベルと白レベルの上下１ビットずつを消去し、ＲＧＢ各４ビットの計１２ビットまで階調表現を圧縮する。
【００４４】
圧縮変換部２２で映像データの圧縮が行われた後、コントローラーモジュール７は圧縮した映像データをバッファ８を介してハードディスク記録再生装置５に出力する。ハードディスク記録再生装置５は上記映像データを所定のアドレスに記録する。ハードディスクに記録された上記映像データが圧縮された後記録されると、マイコン１３は記録情報テーブルの番組情報Ｍ２に０を上書きする。（ステップＳ１０７）。
【００４５】
（５）変形例２
上記構成において本発明の一実施形態であるハードディスク内蔵型記録再生装置１は、ハードディスクからディスク状記録媒体にダビングされた映像データの元データを圧縮するが、圧縮変換部２２は、ハードディスクからディスク状記録媒体にダビングされた映像データの元データを映像データを消去して音声データのみにすることも可能である。
【００４６】
このことは、例えば画像データが必要なくても視聴可能な歌番組をハードディスクに記録しておき、上記歌番組の映像データをハードディスクからディスク状記録媒体に記録させた後圧縮変換部２２によって画像データのみを消去するさい用いられる。
【００４７】
（６）変形例３
また、上記構造において、本発明の一実施形態であるハードディスク内蔵型記録再生装置１は、ハードディスクからＤＶＤメディアに上記映像データをダビングした後、ユーザがＤＶＤメディアに記録された上記映像データを再生すると、上記ハードディスクに記録された映像情報が選択消去されることも可能である。
【００４８】
図７はハードディスクからＤＶＤメディアにダビングされた映像データを再生した後、ハードディスクに記録されている元データを消去するとき、マイコンが実行するフローチャートである。ユーザがリモコン１９を用いてダビング選択画面を表示するよう指示を出すと、マイコン１３はＲＯＭ１４に記録されたダビング選択画面のデータをＲＡＭ１５に出力し、ＯＳＤを用いてテレビジョン装置１８にダビング選択画面を表示する（ステップＳ３００〜Ｓ３０１）。
【００４９】
次にユーザがリモコン１９よりハードディスクに記録された番組データをＤＶＤメディアに記録するよう指示を出すと、マイコン１３は、その指示を受け取りハードディスクの所定のアドレスにアクセスし、上記アドレスに記録された映像データをディスク記録再生装置６を介してＤＶＤメディアに記録させる（ステップＳ３０２）。
【００５０】
次に、ユーザがリモコンを用いてダビング選択画面において、ＤＶＤメディアにダビングされた映像データを再生後、ハードディスクに記録された元データの消去を実行するよう指示を出すと、マイコン１３は、記録情報取得部２１に記録情報テーブルの上記ダビングされた映像データの欄の番組情報Ｍ２に３を書き込むよう指示を出す（ステップＳ３０４）。
【００５１】
ハードディスクからＤＶＤメディアに映像データのダビングが完了後、マイコン１３は、記録情報取得部２１が作成した記録情報テーブルより番組情報Ｍ２を読取り、上記映像データが再生されるまで待機する。その後上記映像データが記録されたＤＶＤメディアが再生されると、マイコン１３は番組情報Ｍ２に４を上書きする（ステップＳ３０５）。
【００５２】
また、上記映像データが記録されているＤＶＤメディアをテレビジョン装置１８によって再生したとき、マイコンは番組情報Ｍ２を読取り、ＯＳＤを用いてテレビジョン装置１８に上記映像データがハードディスクからＤＶＤメディアにダビングされたものであることを表示することも可能である。
【００５３】
その後、マイコンは番組情報Ｍ２が４であることを確認して、ハードディスク記録再生装置５にハードディスクに記録された上記映像データを消去するよう指示を出す。（ステップＳ３０６）。
【００５４】
上記指示を受けてハードディスク記録再生装置５は記録情報テーブルに記録された番組情報Ｍ１のアドレスを読取り、上記アドレスに記録された映像データを消去する。ハードディスクに記録された上記映像データが消去されると、マイコン１３は記録情報テーブルの番組情報Ｍ２に０を上書きする。（ステップＳ３０７）。
【００５５】
（７）まとめ
テレビジョン放送の映像データを入力して上記ハードディスクと上記ディスク状記録媒体の少なくとも一方に対して同入力した映像データの記録を行うとともに、同ハードディスクまたはディスク状記録媒体の少なくとも一方から記録された上記映像データを読み出して外部に出力する映像記録再生装置において、
上記ハードディスクに記録された映像データを上記ディスク記録再生手段を用いてディスク状記録媒体に記録した後、上記ハードディスクに記録された映像データを消去する手段を有する。
【００５６】
請求項３に記載の映像記録差生成装置は、請求項２に記載の映像記録再生装置において、上記ハードディスクに記録された上記映像データが上記ディスク状記録媒体に記録されたことを示す情報に基づいて、上記ハードディスクに記録された映像データを消去する手段を有する構成である。
【００５７】
つまり、請求項２に記載の映像記録再生装置において、上記ハードディスクに記録された上記映像データが上記ディスク状記録媒体に記録されたことを示す情報に基づいて、上記ハードディスクに記録された映像データを消去する。
【００５８】
請求項４に記載の映像記録再生装置は、請求項２または請求項３に記載の映像記録再生装置において、上記ハードディスクに記録された上記映像データが上記ディスク状記録媒体に記録された後、上記ハードディスクに記録された上記映像データを再生すると、上記ディスク状記録媒体に記録されていることを表示する手段を有する構成である。
【００５９】
つまり、請求項２または請求項３に記載の映像記録再生装置において、上記ハードディスクに記録された上記映像データが上記ディスク状記録媒体に記録された後、上記ハードディスクに記録された上記映像データを再生すると、上記ディスク状記録媒体に記録されていることを表示する。
【００６０】
請求項５に記載の映像記録再生装置は、請求項２〜請求項４のいずれかに記載の映像記録再生装置において、上記ハードディスクに記録された上記映像データが上記ディスク状記録媒体に記録された後、上記ハードディスクに記録された上記映像データを圧縮して記録する手段を有する構成である。
【００６１】
つまり、請求項２〜請求項４のいずれかに記載の映像記録再生装置において、上記ハードディスクに記録された上記映像データが上記ディスク状記録媒体に記録された後、上記ハードディスクに記録された上記映像データを圧縮して記録する。
【００６２】
請求項６に記載の映像記録再生装置は、請求項２〜請求項５のいずれかに記載の映像記録再生装置において、上記ハードディスクに記録された上記映像データを上記ディスク状記録媒体に記録し、上記ディスク状記録媒体に記録された上記映像データを再生した後、上記ハードディスクに記録された映像情報を消去する手段を有する構成である。
【００６３】
つまり、請求項２〜請求項５のいずれかに記載の映像記録再生装置において、上記ハードディスクに記録された上記映像データを上記ディスク状記録媒体に記録し、上記ディスク状記録媒体に記録された上記映像データを再生した後、上記ハードディスクに記録された映像情報を消去する。
【００６４】
請求項７に記載の映像記録再生装置は、請求項２〜請求項６のいずれかに記載の映像記録再生装置において、上記ハードディスクに記録された上記映像データを上記ディスク状記録媒体に記録した後、上記ハードディスクに記録された上記映像データの音声データのみを保存する手段を有する構成である。
【００６５】
つまり、請求項２〜請求項６のいずれかに記載の映像記録再生装置において、上記ハードディスクに記録された上記映像データを上記ディスク状記録媒体に記録した後、上記ハードディスクに記録された上記映像データの音声データのみを保存する。
【００６６】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。
【図面の簡単な説明】
【００６７】
【図１】ハードディスク内蔵型記録再生装置のブロック構成図である。
【図２】ハードディスク記録再生装置のブロック構成図である。
【図３】記録情報テーブルの図である。
【図４】マイコンが実行するフローチャート図である。
【図５】コントローラーモジュールのブロック構成図である。
【図６】マイコンが実行するフローチャート図である。
【図７】マイコンが実行するフローチャート図である。
【符号の説明】
【００６８】
１…ハードディスク内蔵型記録再生装置
２…チューナー
３…アナログ／ディジタル変換回路
４…エンコーダ
５…ハードディスク内蔵型記録再生装置
６…ディスク記録再生装置
７…コントローラーモジュール
８…バッファ
９…デコーダ
１０…ディジタル／アナログ変換回路
１１…グラフィックコントローラー
１２…制御装置
１３…マイコン
１４…ＲＯＭ
１５…ＲＡＭ
１６…リモコンＩ／Ｆ
１７…操作パネル
１８…テレビジョン装置
１９…リモコン
２０…記録再生部
２１…記録情報取得部
２２…圧縮変換部
【図１】
2007115363.tif 000003
【図２】
2007115363.tif 000004
【図３】
2007115363.tif 000005
【図４】
2007115363.tif 000006
【図５】
2007115363.tif 000007
【図６】
2007115363.tif 000008
【図７】
2007115363.tif 000009